(57)【要約】【課題】  ピックアップ駆動用のモータで、ディスク搬送ローラも適宜駆動するディスク再生装置において、小型化、薄型化及びコスト削減を図り、かつ確実に搬送ローラにモータの駆動力を伝達させるディスク再生装置を提供すること。【解決手段】  フローティングシャーシ６０にフローティング規制手段８５を装着し、スライド板８３が一方向へ移動してローラブラケット１５１を移動させる際前記フローティングシャーシ規制手段が規制位置へ移動して前記フローティングシャーシがスライド板を介してローラブラケットからの反力を受けて他方向へ移動するのを規制する構成とした。【選択図】図１５
2010113790.tif 000002
【特許請求の範囲】
【請求項１】
ピックアップ駆動用のモータ（７４）、ローラ位置切換部（９３）を有してこのモータに往復駆動されるスライド板（８４）及び前記モータに回転駆動される連結ギヤ（１１５）をフローティングシャーシ（６０）に装着し、このフローティングシャーシを固定シャーシ（１５）にてフローティング状態に支持し、また該フローティングシャーシをフローティングシャーシ固定手段（Ｆ）により固定シャーシに適宜固定するものとし、前記固定シャーシに移動自在に装着したローラブラケット（１５１）にて搬送ローラ（１５０）及びこれと一体のローラギヤ（１５４）を回転自在に支持し、前記スライド板が前記モータに駆動されて一方向へ移動する際、前記ローラ位置切換部にて前記ローラブラケットを押圧し前記ローラギヤを前記連動ギヤに噛合させ、かつ搬送ローラをディスク搬送位置に位置させると共に前記フローティングシャーシ固定手段により前記フローティングシャーシを前記固定シャーシに対して固定するディスク再生装置において、
前記フローティングシャーシにフローティング規制手段（８５）を装着し、前記フローティングシャーシ固定手段がフローティングシャーシを固定シャーシに対して固定する前に、該規制手段を前記スライド板の一方向への移動に伴い規制位置へ移動させ、フローティングシャーシがスライド板を介してローラブラケットからの反力を受けて他方向へ移動するのを前記フローティングシャーシ規制手段が前記固定シャーシに当接することにより規制することを特徴とするディスク再生装置。
【請求項２】
前記スライド板は突起部（９５）を有し、前記フローティングシャーシ規制手段は、当接部（１２６）と前記スライド板が一方向に移動する際に前記突起部に摺接するカム状の摺接部（１２７）とを有して前記フローティングシャーシに回動自在に装着され、前記スライド板の一方向への移動により前記突起部が前記摺接部に摺接して前記フローティングシャーシ規制手段が回動し、前記当接部が前記固定シャーシとの当接によりフローティングシャーシの固定シャーシに対する移動を規制する規制位置へ移動することを特徴とする請求項１に記載のディスク再生装置。
【請求項３】
前記フローティングシャーシ規制手段は腕部（１３０）を有し、前記スライド板の他方向への復帰に伴い該スライド板に該腕部を押されて回動復帰することを特徴とする請求項２に記載のディスク再生装置。
【発明の詳細な説明】
【技術分野】
【０００１】
本発明は、ピックアップ駆動用のモータで、ディスク搬送ローラやフローティングシャーシ固定手段も適宜駆動するディスク再生装置において、小型化、薄型化及び材料コスト削減を図り、かつ確実に搬送ローラにモータの駆動力を伝達させるディスク再生装置に関する。
【背景技術】
【０００２】
従来、ピックアップの往復動と、ディスク搬送ローラの位置選択と、該ローラの回転駆動と、フローティングシャーシ固定手段によるフローティングシャーシの固定とを共通のモータで行うディスク再生装置は、種々提案されている。
【０００３】
特開２００６−１８９１５号には、次のようなディスク装置が記載されている。
すなわち、上部筐体（２）及び下部筐体（３）よりなる固定シャーシ内に、ダンパー（５，７）を介して上部シャーシ（１２）及び下部シャーシ（１１）よりなるフローティングシャーシが弾性支持されている。下部シャーシ（１１）には、光ヘッド（ピックアップ）（３１）、スレッドモータ（M）、スピンドルモータ（２６）及び切換えスライダー（スライド板）（１５）などが取り付けられ、該スピンドルモータ（２６）の軸にはターンテーブル（２２）が取り付けられている。また、前記上部シャーシ（１２）には、クランパ（２３）、ローラアーム（ローラブラケット）（２７）、ロック部材（１８）などが取り付けられ、前記ローラブラケット（２７）には搬送ローラ（２８）が支持されている。
【０００４】
そして、ディスク再生時にイジェクト操作をすると、モータ（M）の駆動力でピックアップ（３１）はディスクの記録部に沿って、その内周方向へ移動する。そしてピックアップ（３１）が移動終端位置に達すると、モータ（M）はスライド板（１５）をディスク挿入方向へ移動させる。このスライド板（１５）の移動により、クランパ（２３）をディスクから離反させると共にロック部材（１８）がフローティングシャーシを固定シャーシに対して固定する。また、スライド板（１５）の移動によりローラブラケット（２７）を回動して搬送ローラ（２８）をモータ（Ｍ）に連結し、モータ（M）は、搬送ローラ（２８）を回転駆動して、搬送ローラ（２８）によりディスクが排出される。
【特許文献１】特開２００６−１８９１５号
【発明の開示】
【発明が解決しようとする課題】
【０００５】
特開２００６−１８９１５号に開示された構成では、搬送ローラをピックアップ駆動用のモータに連結し易くするために、搬送ローラを支持するローラブラケットも、モータ及びピックアップと共にフローティングシャーシに取り付けている。ところがローラブラケットや搬送ローラは比較的大重量の部品であるから、これらをフローティングシャーシに取付けることによってフローティング部分の重量が重くなり、重量が重くなるほどフローティング部分の振動時の振幅は大きくなってしまう。そこで、フローティング部分が振動時に回りの固定シャーシや固定シャーシ上に取付けられた部品に当たらないよう、フローティング部分の回りには、振動シロとしての間隔を十分大きく取る必要があり、装置の小型化、薄型化が困難であった。そこで、この種のディスク再生装置を、外形寸法が厳しく制限されている車載用として用いることは、設計上の困難性があった。
【０００６】
そこで、搬送ローラを支持するローラブラケットを固定シャーシ側に取付けるとフローティング部分の軽量化を図ることができるが、ただ単にこのようにしただけでは、フローティングシャーシが固定シャーシに対して固定されていない状態では、フローティング側のモータと固定側の搬送ローラとの間の動力的な連結が困難となる。この場合、フローティングシャーシを固定シャーシに対して固定した後に、モータと搬送ローラとを動力的に連結しなければならないので、ディスクの搬送開始のタイミングが遅れてしまうことになる。
【０００７】
本発明は、このような問題に鑑みてなされたもので、ピックアップとディスク搬送ローラとを共通のモータで適宜駆動する構成において、ディスク搬送開始のタイミングを遅らせることなく、搬送ローラを支持するローラブラケットを固定シャーシ側に移してフローティング部分の軽量化を図り、ディスク再生装置全体の小型化及び薄型化を図って車載用としても採用可能にすることを目的とする。
【課題を解決するための手段】
【０００８】
ピックアップ駆動用のモータ、ローラ位置切換部を有してこのモータに往復駆動されるスライド板及び前記モータに回転駆動される連結ギヤをフローティングシャーシに装着し、このフローティングシャーシを固定シャーシにてフローティング状態に支持し、また該フローティングシャーシをフローティングシャーシ固定手段により固定シャーシに適宜固定するものとし、前記固定シャーシに移動自在に装着したローラブラケットにて搬送ローラ及びこれと一体のローラギヤを回転自在に支持し、前記スライド板が前記モータに駆動されて一方向へ移動する際、前記ローラ位置切換部にて前記ローラブラケットを押圧し前記ローラギヤを前記連動ギヤに噛合させ、かつ搬送ローラをディスク搬送位置に位置させると共に前記フローティングシャーシ固定手段により前記フローティングシャーシを前記固定シャーシに対して固定するものとする。
また、前記フローティングシャーシにフローティング規制手段を装着し、前記フローティングシャーシ固定手段がフローティングシャーシを固定シャーシに対して固定する前に、該規制手段を前記スライド板の一方向への移動に伴い規制位置へ移動させ、フローティングシャーシがスライド板を介してローラブラケットからの反力を受けて他方向へ移動するのを前記フローティングシャーシ規制手段が前記固定シャーシに当接することにより規制するものとする。
【０００９】
前記スライド板は突起部を有し、前記フローティングシャーシ規制手段は、当接部と前記スライド板が一方向に移動する際に前記突起部に摺接するカム状の摺接部とを有して前記フローティングシャーシに回動自在に装着され、前記スライド板の一方向への移動により前記突起部が前記摺接部に摺接して前記フローティングシャーシ規制手段が回動し、前記当接部が前記固定シャーシとの当接によりフローティングシャーシの固定シャーシに対する移動を規制する規制位置へ移動するようにするとよい。
【００１０】
前記フローティングシャーシ規制手段は腕部を有し、前記スライド板の他方向への復帰に伴い該スライド板に該腕部を押されて回動復帰するようにするとよい。
【発明の効果】
【００１１】
本発明によれば、ローラブラケットを固定シャーシ側に取付けたことにより、フローティングシャーシの重量を軽くすることができ、その結果、フローティングシャーシの振動シロを小さくでき、装置全体の小型化、薄型化及び材料コスト削減が達成できる。また、スライド板の移動によりフローティングシャーシ固定手段によるフローティングシャーシの固定を持たずに、ピックアップ駆動用のモータと搬送ローラとの動力的な連結が行えるので、フローティングシャーシの固定後、直ちにディスクの搬送を開始することができる。
【００１２】
さらに、フローティングシャーシにフローティング規制手段を装着し、前記スライド板が一方向へ移動して前記ローラブラケットを移動させる際前記フローティングシャーシ規制手段が規制位置へ移動して前記フローティングシャーシがスライド板を介してローラブラケットからの反力を受けて他方向へ移動するのを規制するため、ローラギヤを連結ギヤに確実に噛合させることができ、モータの駆動力を確実に搬送ローラに伝達することができる。
【００１３】
さらに、スライド板は突起部を有し、フローティングシャーシ規制手段は、当接部とスライド板が一方向に移動する際に突起部に摺接するカム状の摺接部とを有してフローティングシャーシに回動自在に装着され、スライド板の一方向への移動により突起部が摺接部に摺接してフローティングシャーシ規制手段が回動し、当接部が固定シャーシとの当接によりフローティングシャーシの固定シャーシに対する移動を規制する規制位置へ移動するものとすると機構を簡略化することできる。
【００１４】
さらに、フローティングシャーシ規制手段は腕部を有し、スライド板の他方向への復帰に伴い該スライド板に該腕部を押されて回動復帰するものとすると、ばねなどの部材を使用せずに、フローティングシャーシ規制手段を回動復帰させることができる。
【発明を実施するための最良の形態】
【００１５】
以下、本発明を実施するための最良の形態を、図面を参照して説明する。
図１は車載用のディスク再生装置の機構部１の外観を示す斜視図である。前記ディスク再生装置の機構部１の正面には、ディスクＤを挿出するディスク挿入口２が設けられている。矢印Ａはディスク挿入方向を示し、その逆方向はディスク排出方向となる。そして、これらディスク挿入方向とディスク排出方向とを合わせて、ディスク挿出方向とする。
【００１６】
図２は、前記ディスク再生装置の機構部１を上ユニット３と下ユニット４とに分けて示し、さらに下ユニット４の一部であるピックアップユニット５とクランプ機構６とを分けて示す分解斜視図である。
図３は前記上ユニット３を示す平面図であり、図４は前記下ユニット４からピックアップユニット５とクランプ機構６とを除いた部位を示す平面図である。また、図５はピックアップユニット５を示す平面図である。
【００１７】
前記上ユニット３は、図２及び図３に示すように、上フレーム７及びディスク検知機構８で構成されている。前記下ユニット４は、図２、図４及び図５に示すように、下フレーム１０と、この下フレーム１０に取り付けられる３個の緩衝部材よりなるダンパ１１と、搬送ローラ機構１２と、ターンテーブル１３やピックアップ１４を含むピックアップユニット５と、クランプ機構６等で構成されている。前記上フレーム７と下フレーム１０とで固定シャーシ１５を構成する。
【００１８】
図２及び図３の如く、金属板からなる前記上フレーム７は、ほぼ四角形をなす天板１８の四辺より下方に折曲形成された側板を有し、その左右側板１９，２０のディスク挿出方向における前部及び後部にそれぞれ重ね合せ部２１，２２を設けている。
【００１９】
また図２及び図４の如く、金属板からなる前記下フレーム１０は、ほぼ四角形をなす底板２３の四辺より上方に立上がる側板を有し、その左右側板２４，２５のディスク挿出方向における前部及び後部に、それぞれ重ね合せ部２６，２７を設けている。そして、上フレーム７と下フレーム１０との合体は、互いの対応する重ね合せ部同志を重ね合わせ、それぞれの後部重ね合わせ部２２，２７をねじ２８（図２において右方のみ記載）にて固定する（図１参照）ことにより行なっている。
【００２０】
図２及び図３の如く、前記天板１８には、ほぼ中央に大きく開口した開口部２９を設けるとともに、この開口部２９に対しディスク挿出方向に直交する方向に位置して、第一及び第二上方被係合部である一対の延出片３０を下方へ延出させている。そして、前記天板１８の前部には、上面側から下方に向けて押出し加工した左右方向に長い凹みを形成してその部位を装着部３１としている。さらに、天板１８と装着部３１との間の段差部３２には、適宜切欠部３３を設けている。また、装着部３１には、ガイド部３４を形成している。
【００２１】
前記ディスク検知機構８は、左右一対の水平回動自在なディスク検知部材３５，３６と、両検出部材３５，３６間に掛渡されたコイルばね３７（図３に仮想線で示す）と、係止レバー３８と、図示しないスイッチとで構成されている。ディスク検知機構８は、装着部３１の上面に取付けられている。
【００２２】
前記ディスク検知部材３５，３６は、ディスクが挿入されたことを検知するもので、装着部３１の上面に突設された一対の支軸３９にそれぞれ回動自在に装着され、前記ディスク挿入口２の近傍まで延長された各延長端には下方に延びた検知部４０，４１（図２参照）を有している。
【００２３】
ディスク検知部材３５には、図中右方へ延出した連結片４２が形成されており、その先端には連結ピン４３が上方へ向けて形成されている。一方、ディスク検知部材３６には、図中左方へ延出した連結片４４が形成されており、その先端付近には連結溝４５が形成されている。そして、前記連結ピン４３をこの連結溝４５に係合させて、両ディスク検知部材３５，３６が左右対称に同期回動するようにしている。
【００２４】
両ディスク検知部材３５，３６は、前記切欠部３３の範囲内で回動自在となっており、前記コイルばね３７の付勢力により装着部３１の上面に形成された一対のストッパ部４６のそれぞれに一部を当接させて、初期位置を維持している。また、前記検知部４０，４１の近傍には弾性片４７，４８が設けられ、これらの弾性片４７，４８を装着部３１の上面に弾性的に常時圧接させて、検知部材３５，３６の振動によるラットルノイズの発生を防止するようにしている。
【００２５】
前記係止レバー３８は装着部３１の上面に突設された支軸４９に回動自在に装着され、ディスクが再生位置に挿入されたとき該ディスク検知部材３５，３６を回動位置に係止する。この係止レバー３８には、一端に一方のディスク検知部材３６に嵌合するピン５０、他端にディスク搬送経路内に位置して搬送途中のディスクの外周に摺接する図示しない摺接ピンが、それぞれ形成されている。そして係止レバー３８は、時計方向に極めて弱いばねで回動付勢されている。
【００２６】
図２及び図４の如く、前記下フレーム１０の底板２３には、大きく開口した大開口部５２を設け、その大開口部５２周辺の底板２３上面３箇所には、前記ダンパ１１を固着する固定部５３を設けている。また、左側板２４後部付近において、底板２３を上方へ向けて押出し加工にて山形形状とした押出し部５４を設け、その前方位置に、左側板２４の一部を装置内側へ向けて切曲げした切曲げ部５５を設けている。この切曲げ部５５には、被係合部である孔５６が設けられている（図２参照）。さらに、図中右方には、前記孔５６より手前側及び奥側位置に、右側板２５より内側に向けて折曲形成された前方及び後方被係合部である一対の折曲部５７，５７が設けられている。
【００２７】
前記３箇所の固定部５３には、それぞれ前記ダンパ１１の台座５８を固着し、各ダンパ１１の有底筒部５９を前記ピックアップユニット５の一部に取付けて、ピックアップユニット５がこれらのダンパ１１を介して、下フレーム１０に対してフローティング状態に支持されるようにしている。また、下フレーム１０の左右側板２４，２５のディスク挿入口２近傍には、前記搬送ローラ機構１２が配置されている。
【００２８】
前記ピックアップユニット５は、図２及び図５に示すように、フローティングシャーシ６０と、このフローティングシャーシ６０に取付けられたピックアップ駆動機構６１、ローディング機構６２、ディスク回転機構６３とで構成されている。
【００２９】
フローティングシャーシ６０は金属板製で、ほぼ四角形をなす平板部６５と、上方へ折り曲げた左右側板６６，６７と、下方へ折り曲げた前板６８と、上方へ折り曲げた後板６９とを有している。前記平板部６５には、図５中ほぼ中央から左上方に向けて長い矩形孔７０を有し、この矩形孔７０の内側にピックアップ１４が矩形孔７０の長手方向に移動自在に配置されている。
【００３０】
また、該矩形孔７０の長手方向と平行にレール部７１が設けられ、前記ピックアップ１４の一部で、このレール部７１を挟む構成となっている。この平板部６５において、前記右側板６７の近傍には溝７２（仮想線で示す）が設けられている。さらに、この平面部６５には、ディスクの挿入を規制する左右一対のストッパ片７３を設けている。そして、前記矩形孔７０の図中右方には第一モータ７４が配置されている。
【００３１】
前記ピックアップ駆動機構６１は、前記ピックアップ１４に挿通し前記レール部７１と平行に配置される金属製の主ガイドレール７５、一端に小ギヤ７６を設けた合成樹脂製の送りねじ７７、前記主ガイドレール７５及び送りねじ７７の両端をそれぞれ支持する第一支持部材７８，第二支持部材７９、一端をピックアップ１４に固定し他端を前記送りねじ７７に当接させる薄板製のピックアップ送り板８０で構成されている。前記主ガイドレール７５、小ギヤ７６、送りねじ７７、第一、第二支持部材７８，７９は、前記フローティングシャーシ６０の平板部６５の下面側に配置される。
【００３２】
前記ローディング機構６２は、ピックアップ１４をロックするロック部材８１と、前記第一モータ７４の駆動力を伝達する駆動力伝達手段８２と、第一モータ７４の駆動力を受け、図中前後に移動するスライド板８３と、ディスクを前記ターンテーブル１３にチャッキングする直前を検知するトリガ部材８４と、フローティングシャーシ規制手段である規制部材８５とで構成されている。また、図示しないが、前記ロック部材８１にはこの部材を時計方向に付勢するばねが、前記トリガ部材８４には反転ばねが、それぞれ取付けられている。
そして、前記ロック部材８１、駆動力伝達手段８２、トリガ部材８４は、平板部６５の下面側に配置され、前記スライド板８３、前記規制部材８５は、右側板６７に配置される。
【００３３】
前記ロック部材８１は、略中央に回動支点８６を設け、一方に摺接ピン８７、他方にロック部８８を設けている。なお、ロック部材８１は、図示しないばねによって、時計方向に回動付勢されている。
【００３４】
図６はスライド板８３とその周辺部品との関係を示す側面図であり、スライド板８３の図中中央上部にはカム溝８９を設けている。このカム溝８９の下方には、前方及び後方被係合部である、上下方向の幅が狭いスリット部９０，９０と、上下方向幅広の逃げ部９１，９１とからなる一対の貫通孔９２，９２を設けている。スリット部９０，９０は前記下フレーム１０の折曲片５７，５７と共にフローティングシャーシ固定手段Ｆの一部を構成するもので、図６に示すように折曲片５７，５７を嵌合させてフローティングシャーシ６０を固定シャーシ１５に対して固定する。また、スライド板８３の図６における左端には、ローラ位置切換部であるカム面９３を設けている。さらに、図５に示す如く、スライド板８３には、図中左方に突出した被押圧部９４が設けられている。さらに、前記スライド板８３の後端部には、左方へ向けて突設された突起部９５が設けられている。
【００３５】
前記トリガ部材８４は、一端側に上方へ延出する被当接部９８、他端側にラック９９、中間部に回動軸１００を、それぞれ設けている。さらに、他端部には上方に突出するボス１０１も設けている。このボス１０１は、前記フローティングシャーシ６０の溝７２に挿通させている。
【００３６】
前記ディスク回転機構６３は、前記矩形孔７０の図中最前部に取付けられた第二モータ１０２と、この第二モータ１０２に直結された前記ターンテーブル１３とで構成されている。
【００３７】
前記駆動力伝達手段８２は、図５及び図７の如く、ギヤ群を主体とするものである。この伝達手段８３は、前記第一モータ７４の駆動力を、搬送ローラ機構１２等又はピックアップ駆動機構６１に適宜伝達する切換手段１０３と、第三支持部材１０４と、第四支持部材１０５とを有している。
【００３８】
前記ギヤ群は、前記第一モータ７４のシャフトに装着されたウォームギヤ１０６と、二段ギヤよりなる第一ギヤ１０７、第二ギヤ１０８及び第三ギヤ１０９と、三段ギヤよりなる第四ギヤ１１０と、ディスク挿出方向に長く両端部に第一ウォーム１１１，第二ウォーム１１２を一体形成した第五ギヤ１１３と、前記第四支持部材１０５に取付けられる、二段ギヤよりなる第六ギヤ１１４と、連結ギヤである第七ギヤ１１５とで構成されている。この第七ギヤ１１５は、前記スライド板８３のカム面９３に近い位置に配置されている。
【００３９】
前記切換手段１０３は、仮想線で示す金属板製の切換板１１６と、この切換板１１６に取付けた前記第二ギヤ１０８とで構成される。前記切換板１１６は、図中下端部が右方に曲がった形状をなし、その先端を押圧部１１７とし、図中上端に円弧部１１８と傾斜部１１９とからなるカム部１２０を有し、中間部を前記第一ギヤ１０７と共通の軸１２１に回動自在に軸支されている。前記第二ギヤ１０８は前記カム部１２０と軸１２１とのほぼ中間位置に回転自在に軸支されている。そして、切換板１１６の回動により第二ギヤ１０８を、第三ギヤ１０９又は第四ギヤ１１０に適宜噛合させて、前記第一モータ７４の駆動力をピックアップ駆動機構６１又は搬送ローラ機構１２に伝達するようにしている。
【００４０】
第一ギヤ１０７は、前記フローティングシャーシ６０の裏面側に軸支され、一段目の大ギヤをヘリカルギヤとして、このヘリカルギヤをウォームギヤ１０６に噛合させている。第一ギヤ１０７の二段目の小ギヤは第二ギヤ１０８の大ギヤに常時噛合させている。第四ギヤ１１０は、前記フローティングシャーシ６０の裏面側に軸支され、中ギヤを第五ギヤ１１３の第一ウォーム１１１に噛合させている。
【００４１】
第五ギヤ１１３は、第一ウォーム１１１側を前記第三支持部材１０４に支持され、第二ウォーム１１２側を第四支持部材１０５に回転自在に支持されている。この第三支持部材１０４及び第四支持部材１０５は前記フローティングシャーシ６０の裏面側に取付けられている。第五ギヤ１１３の第二ウォーム１１２は第四支持部材１０５に回転自在に取付けられた第六ギヤ１１４の小ギヤと噛合している。この小ギヤはヘリカルギヤである。第六ギヤ１１４の大ギヤは同じく第四支持部材１０５に回転自在に取付けられた第七ギヤ１１５に噛合させている。また、第三ギヤ１０９の大ギヤはピックアップ駆動機構６１の一部である前記小ギヤ７６に常時噛合させている。
【００４２】
図７に示すように、第二ギヤ１０８の小ギヤが第四ギヤ１１０の大ギヤに噛合していると、第一モータ７４の駆動力が前記搬送ローラ機構１２に伝達される。この状態から切換板１１６が軸１２１を中心に反時計方向に回動して、第二ギヤ１０８の大ギヤが第三ギヤ１０９の小ギヤと噛合すると、第一モータ７４の駆動力がピックアップ駆動機構６１に伝達される。
【００４３】
図８は、前記規制部材８５の周辺において、ディスク再生状態を示すもので、図８の如く、規制部材８５は、回動支点となる軸１２５を下方へ向けて設けている。この規制部材８５は、図中左方端には小判形状をなす当接部１２６を形成し、右方端にはカム状の摺接部１２７を形成している。前記摺接部１２７は距離の短い傾斜面１２８と距離の長い直線面１２９とで構成されている。また、軸１２５の図中上方には、横方向に長い腕部１３０が形成され、その先端は前記スライド板８３の後端まで延出している。
【００４４】
前記規制部材８５は、前記フローティングシャーシ６０の右側板６７より折曲形成された配置部６７ａの孔に、前記軸１２５を挿入して配置されている。また、前記当接部１２６の図中上方には、前記下フレーム１０の後板に折曲形成された被当接部１０ａが設けられている。
【００４５】
前記クランプ機構６は、図９及び図１０に示すように、クランパ１３１と、このクランパ１３１を回転支持する薄板製の支持板１３２と、この支持板１３２を取着し、上下方向に回動して（回動中心線を一点鎖線で示す）前記クランパ１３１を前記ターンテーブル１３に対して離接させるクランパ支持体１３３とで構成される。
【００４６】
図１０の如く、クランパ１３１は、図中上方に軸部１３４と、図中下方にディスクの中心孔に嵌合する略円錐台形突部１３５とを有し、この略円錐台形突部１３５の外周にディスクの心出し用テーパ１３６を有している。
【００４７】
クランパ１３１は、前記軸部１３４を前記支持板１３２の一端側にて回転自在に支持され、支持板１３２は、他端側をクランパ支持体１３３に固着され、ターンテーブル１３とクランパ１３１とでディスクを挟持するときは、支持板１３２の一部でクランパ１３１の軸端を弾性的に押圧してターンテーブル１３とクランパ１３１との間にディスク挟持圧を付与するようにしている。
【００４８】
クランパ支持体１３３は、図９に示すように、左右方向に細長い板金製で、平板１３７の左右端に下方へ折り曲げられた側板１３８，１３９を有している。そして平板１３７には、略菱形状の第一及び第二上方係合部である一対の菱孔１４０，１４０を設け、各菱孔１４０，１４０には、図中左右角部にそれぞれストレート溝１４１，１４１を形成している。ストレート溝１４１，１４１は前記上フレーム７の延出片３０，３０と共にフローティングシャーシ固定手段Ｆの一部を構成するもので、図１７に示すように延出片３０，３０を嵌合させてフローティングシャーシ６０を固定シャーシ１５に対して固定する。クランパ支持体１３３の図中奥側縁部１４２は、中央から左方及び右方にかけて僅かに奥側へ傾斜するように形成されている。また、右側板１３０の図中前端部には係合ピン１４３が取着されており、この係合ピン１４３は、前記スライド板８３のカム溝８９（図６参照）に嵌合する。
【００４９】
前記左側板１３８は、図１０に示すように一部を下方へ延長し、該延長部の下端部が二股形状に形成されており、図中右側を係合部である第一片１４４、左側を第二片１４５としている。第一片１４４は前記下フレーム１０の孔５６と共にフローティングシャーシ固定手段Ｆの一部を構成するもので、図１０に示すように孔５６に嵌合してフローティングシャーシ６０を固定シャーシ１５に対して固定する。また、左右側板１３８，１３９（図１０には左側板１３８のみ示す）には、それぞれ軸孔１４６が設けられており、各軸孔１４６は前記フローティングシャーシ６０の左右側板６６，６７（図５参照）にそれぞれ設けられた突部（図示せず）に係合し、クランパ支持体１３３は、それらの突部を中心に回動自在となっている。
【００５０】
また、前記クランパ支持体１３３の前記フローティングシャーシ６０に対する回動中心軸（両軸孔１４６の中心間を結ぶ線）は、前記ターンテーブル１３の中心軸線より距離Kだけ奥側にあり、距離ＫはディスクＤの中心孔径（１５ｍｍ）より大きく、かつ、その２倍（３０ｍｍ）以内、例えば２５ｍｍ程度に設定される。さらに、前記クランパ支持体１３３の奥側縁部１４２は、中央から左方及び右方にかけて奥側へ僅かに傾斜させている。
【００５１】
搬送ローラ機構１２は、図４及び図１１の如く、搬送ローラ１５０と、ローラブラケット１５１とで構成されている。
【００５２】
搬送ローラ１５０は、外方端から内方端にかけて漸次小径となる一対の合成ゴム製テーパ筒体１５２に金属製の軸１５３を挿通させて構成されている。軸１５３の両端はテーパ筒体１５２の外方端から突出し、その突出する軸１５３の一端側には前記駆動力伝達手段８２（図５参照）の一部であるローラギヤ１５４を、また他端側にはカラー１５５を、それぞれを取付けている。
【００５３】
ローラブラケット１５１は金属板よりなるもので、左右に長い連結板１５６の左右端に、上方へ向けて折曲形成された左右側板１５７を有し、これらの左右側板１５７を連結板１５６より奥側へ延出させている。左右側板１５７は、各内面側の略中間部に絞り加工による凸状筒部１５８，１５８をそれぞれ有し、各凸状筒部１５８，１５８を下フレーム１０（図２参照）の左右側板２４，２５に形成された溝１５９（一方のみ仮想線で示す）に嵌合させ、凸状筒部１５８，１５８を支点として、上下回動自在に装着される。また、左右側板１５７間の延出部で搬送ローラ１５０の軸１５３両端を回転自在に支持するようにしている。
【００５４】
前記連結板１５６の後縁は裏面側に向けて折曲された山折縁部１６０となっている。この山折縁部１６０は、平面図上ではほぼ左右対称となるＶ形凹状となっているが、その傾斜角度は、ローラの軸心線に対して約１°程度の僅かなものである。また、連結板１５６の前縁には上方に向けて屈曲した左右一対の屈曲部１６１，１６１が設けられている。これらの屈曲部１６１，１６１は、搬送ローラ１５０が下方位置にあるとき、すなわち、ディスクが再生位置に挿入されているときは上方位置にあってディスク挿入口２（図１参照）を塞いで、ディスクの二重挿入を防止する。さらに図１１に示すように、前記ローラブラケット１５１の右側板１５７の最奥部には、外方へ向けて略直角に曲げられた折曲片１６２が設けられている。なお、ローラブラケット１５１は図示しないばねにより、搬送ローラ１５０を上昇させる方向に常時付勢されている。
【００５５】
また、図１３に示す如く、前記フレーム１０の底板２３の一部に一対の誘導部１６５，１６５を設け、スライド板８３がディスク排出方向へ移動した際に、スライド板８３が両誘導部１６５，１６５間に挟まれるようにしている。
【００５６】
次にディスク再生機の機構部１の動作について説明する。
図１２はディスク再生している状態における側面図であり、前記ターンテーブル１３とクランパ１３１とでディスクＤを挟持している。この状態にあるときは、前記スライド板８３は図中右方に位置しており、前記ローラブラケット１５１は凸状筒部１５８，１５８を中心に時計方向に回動した位置、すなわち、搬送ローラ１５０が非搬送位置に位置している。さらに、前記下フレーム１０の折曲部５７，５７が前記スライド板８３の逃げ部９１，９１に位置し、フローティングシャーシ６０は、固定シャーシ１５に対して、ダンパ１１（図２参照）を介してフローティング状態となっている。
【００５７】
ディスクが再生位置にあるときは、図１３に示す如く、ロック部材８１の摺接ピン８７が切換板１１６の傾斜部１１９に係合し、第一モータ７４の回転力が第二ギヤ１０８及び第三ギヤ１０９を介してピックアップ駆動機構６１に伝達される。この状態では、第二ギヤ１０８が時計方向に回転するとき前記切換板１１６を時計方向へ回動させて第二ギヤ１０８を第三ギヤ１０９から離反させようとするが、切換板１１６は摺接ピン８７により図１３の位置に保持されている。このとき、前記規制部材８５は、図８に示す位置に位置しており、該スライド板８３の突起部９５は規制部材８５のどこにも触れていない。
【００５８】
この状態からディスク排出操作を行なうと、第二ギヤ１０８は時計方向へ回転し、ピックアップ１４はディスク内周方向に移動する。そして、ピックアップ１４がディスクのデータ記録部の最内周部を超えた位置まで移動して、ピックアップ１４の一部で前記ロック部材８１を反時計方向に回動させる。
【００５９】
すると、図７に示す如く、ロック部材８１の摺接ピン８７が切換板１１６の傾斜部１１９から外れ、切換板１１６が時計方向に回動して第二ギヤ１０８の小ギヤが第四ギヤ１１０の大ギヤと噛合する。
【００６０】
第一モータ７４の駆動力が各ギヤを介し第四ギヤ１１０に伝達されると、第四ギヤ１１０の回転により、トリガ部材８４（図５参照）がディスク排出方向に移動する。そして、トリガ部材８４の移動により、図示しない連結部材を介し前記スライド板８３もディスク排出方向へ移動する。
【００６１】
図１４に示す如く、前記スライド板８３がディスク排出方向へ移動すると、前記カム面９３がローラブラケット１５１の折曲片１６２に当接する。この状態では、まだ、前記下フレーム１０の折曲部５７，５７は前記スライド板８３の逃げ部９１，９１に位置し、フローティングシャーシ６０は、固定シャーシ１５に対してフローティング状態となっている。
【００６２】
前記規制部材８５は、前記カム面９３がローラブラケット１５１の折曲片１６２に当接する前に、前記スライド板８３が移動するとすぐに、スライド板８３の突起部９５が前記規制部材８５の摺接部１２７の一部である傾斜面１２８に当接し、該規制部材８５は、前記突起部９５に傾斜面１２８を押圧され軸１２５を回動支点として図中時計方向に回動する。
【００６３】
さらにスライド板８３がディスク排出方向へ移動すると、突起部９５は傾斜面１２８から直線面１２９に摺接する。すると、規制部材８５は図１５の如く、回動を終了し、前記当接部１２６が前記被当接部１０ａに接近した位置、すなわちフローティングシャーシ規制位置に位置される。この状態でも、まだ、前記フローティングシャーシ６０は固定シャーシ１５に対してフローティング状態となっている。
【００６４】
そして、規制部材８５がフローティングシャーシ規制位置に位置された状態で、スライド板８３がさらにディスク排出方向に移動すると、前記カム面９３が折曲片１６２を押圧し、搬送ローラ１５０及びローラギヤ１５４を押し上げていく。このとき、前記フローティングシャーシ６０は固定シャーシ１５に対して未だフローティング状態にあるため、フローティングシャーシ６０は、スライド板８３を介して折曲片１６２からの反力を受けて、ディスク挿入方向へ移動するが、規制部材８５の当接部１２６が前記下フレーム１０の被当接部１０ａに当接することにより、その移動が規制される。
【００６５】
このように、フローティングシャーシ６０のディスク挿入方向への移動が規制されることにより、スライド板８３は搬送ローラ１５０を確実に押し上げていき、搬送ローラ１５０がディスク搬送位置に接近するに伴い、ローラギヤ１５４が第七ギヤ１１５への噛合を開始する。そして折曲片１６２は、図６に示す如く、カム面９３の上端から外れ、スライド板８３の上面に移動し、搬送ローラ１５０のディスク搬送位置への到達と同持に、ローラギヤ１５４は、図１６に示す如く、第七ギヤ１１５に対する噛合を完了する。
【００６６】
以上のように、規制部材８５がフローティングシャーシ規制位置に位置することによって、ローラギヤ１５４を第七ギヤ１１５に確実に噛合させることができる。この過程において、カム溝８９に沿ってクランパ支持体１３３の係合ピン１４３が上昇し、クランパ支持体１３３が図中時計方向に回動してクランパ１３１をターンテーブル１３から離反させる。
【００６７】
クランパ支持体１３３の回動によって、図１７に示す如く、クランパ支持体１３３の一対の菱孔１４０，１４０が、上フレーム７に設けられた一対の延出片３０，３０と嵌合すると共に、クランパ支持体１３３の第一片１４４も、下フレーム１０の孔５６に嵌合する（図１０に仮想線で示す）。このとき、前記スリット部９０，９０に下フレーム１０の折曲部５７，５７が嵌合しており（図１６参照）フローティングシャーシ６０は、固定シャーシ１５に対して、固定状態となっている。
【００６８】
そして、第一モータ７４の駆動力は、第七ギヤ１１５及びローラギヤ１５４を介して搬送ローラ１５０に伝達され、この搬送ローラ１５０がディスクDを排出方向へ搬送する。
【００６９】
このように、ローラブラケット１５１を固定シャーシ１５に取付けたことにより、フローティングシャーシ６０の重量を軽くすることができ、その結果、フローティングシャーシ６０の振動シロを小さくでき、装置全体の小型化、薄型化及び材料コスト削減が達成できる。また、スライド板８３の移動によりフローティングシャーシ固定手段によるフローティングシャーシ６０の固定を持たずに、ピックアップ駆動用のモータ７４と搬送ローラ１５０との動力的な連結が行えるので、フローティングシャーシ６０の固定後、直ちにディスクの搬送を開始することができる。
【００７０】
また、フローティングシャーシ６０に規制部材８５を装着し、スライド板８３が一方向へ移動して前記ローラブラケット１５１を移動させる際前記規制部材８５が規制位置へ移動して前記フローティングシャーシ６０がスライド板８３を介してローラブラケット１５１からの反力により他方向へ移動するのを規制するため、ローラギヤ１５４を第七ギヤ１１５に確実に噛合することができ、モータ７４の駆動力を確実に搬送ローラ１５０に伝達することができる。
【００７１】
さらに、スライド板８３は突起部９５を有し、規制部材８５は、当接部１２６とスライド板８３が一方向に移動する際に突起部９５に摺接するカム状の摺接部１２７とを有してフローティングシャーシ６０に回動自在に装着され、スライド板８３の一方向への移動により突起部９５が摺接部１２７に摺接して規制部材８５が回動し、当接部１２６が下フレーム１０の被当接部１０ａのとの当接によりフローティングシャーシ６０の固定シャーシ１５に対する移動を規制する規制位置へ移動するものとすると機構を簡略化することできる。
【００７２】
また、規制部材８５は腕部１３０を有し、スライド板８３の他方向への復帰に伴い該スライド板８３に該腕部１３０を押されて回動復帰するものとすると、ばねなどの部材を使用せずに、規制部材８５を回動復帰させることができる。
【００７３】
なお、本実施の形態では、前記ローラブラケット１５１の右側板１５７に折曲片１６２を設け、この折曲片１６２がスライド板８３のカム面９３を摺接するようにしたが、これに限るものではなく、折曲片１６２の代わりにピンをカシメて固定してもよい。
【００７４】
次に、図１８ないし図２３に示す別の実施の形態について説明する。この実施の形態は、前記実施の形態がローラブラケットを固定シャーシの下フレームに取付けていたものに対し、ローラブラケットを固定シャーシの上フレームに取付けたものである。一般に、ディスク再生装置を車両のオーディオ機器取付部に取付ける場合、まず、図１８に示すように、ディスク再生装置の固定シャーシ１５を、専用のアタッチメントケース１７０に取付ける。このアタッチメントケース１７０は、前面部に操作釦、表示部等を有するフロントパネル１７１を備えている。固定シャーシ１５は前記実施の形態と同様に、上フレーム７及び下フレーム１０を互いに合体して構成されるが（図１９参照）、本実施の形態では、下フレーム１０にはディスクを挿出する側の前端部左右に固定片１７２，１７２を設け、後端中央部にも固定片１７３を設けている。また、アタッチメントケース１７０には、前記固定片１７２，１７２，１７３に対応する部位にそれぞれ被固定部１７４，１７４，１７５が設けられ、固定片１７２，１７２，１７３をアタッチメントケース１７０の被固定部１７４，１７４，１７５に、ねじ１７６を用いて固定した後、このように一体化したディスク再生装置とアタッチメントケース１７０を、車両のオーディオ機器取付部に装着するものとする。
【００７５】
図１９に示すように、下フレーム１０の左右の固定片１７２，１７２は、左右側板の前端部より上方へ延出してその延出端部１７２ａを外方へ折曲形成した逆Ｌ字状をなし、後端側固定片１７３は、後方側板の中央部上縁より外方へ折曲形成されている。これら各固定片１７２，１７２の各延長端部１７２ａ，１７２ａ及び後端側固定片１７３には、ねじ孔が設けられている。
前記上フレーム７は、前記左右の固定片１７２，１７２の近傍位置において、前端左右縁より下方へ折曲形成したブラケット取付部１７７を有し、これら取付部１７７に設けた軸孔にて前記実施の形態と同様のローラブラケット１５１（図１１参照）の凸状筒部１５８（図１１参照）を回転自在に支持するようにしている。
【００７６】
上フレーム７には更に、下方へ折曲する左右側板の折曲角部に、それぞれ前方取付孔１７８及び係合凹部としての後方取付孔１７９が設けられている。
【００７７】
一方、前記下フレーム１０には上方へ折曲する左右側板の上縁に、図２０に示すように、それぞれ係合凸部１８０、逆L字形の前方抜止め片１８１及び係合凸部１８０の僅か前方に位置する後方抜止め片１８２が設けられている。各前方抜止め片１８１は、前記左右の固定片１７２，１７２の僅か後方に位置している。左右の固定片１７２と前方抜止め片１８１との間には上方に開口するスリット１８３が存在し、左右側板の前端には小さな切欠き１８４が存在し、これらスリット１８３の下端及び切欠き１８４を結ぶ仮想の線が側板と固定片１７２との境界線となる。
【００７８】
そこで、上フレーム７の各後方取付孔１７９を下フレーム１０の各係合凸部１８０に係合させた後、上フレーム７の各前方取付孔１７８を下フレーム１０の前方抜止め片１８１の内側に位置させる。
その後、図２１に示すように、前方抜止め片１８１の先端水平部を水平方向内方へ屈曲させて各前方取付孔１７８の下縁上に位置させる。さらに、左右の後方抜止め片１８２を図２２の如く内方（矢印方向）へ僅かに屈曲させて上フレーム７上面上に位置させると、後方取付孔１７９と係合凸部１８０との離脱が防止される。すなわち、左右の前方抜止め片１８１と前方取付孔１７８の下縁、並びに後方抜止め片１８２と上フレーム上面によって、係合凸部１８０と後方取付孔１７９との係合状態を保持する離脱防止手段が構成されている。なお、図２１に示すように、このように上下フレーム７，１０を合体した状態では、上フレーム７に設けたブラケット取付部１７７と下フレーム１０の側板との間に若干の隙間１７５を有している。
【００７９】
このように上下フレーム７，１０を合体した状態では、図２３に示すように、上フレーム７のブラケット取付部１７７は下フレーム１０の左右の固定片１７２，１７２の各内側かつ近傍に位置するようになる（図２３では右方のみ示す）。
【図面の簡単な説明】
【００８０】
【図１】ディスク再生機を示す斜視図。
【図２】ディスク再生装置の分解斜視図。
【図３】上ユニットを示す平面図。
【図４】下ユニットからピックアップユニットとクランプ機構とを除いた状態を示す平面図。
【図５】ピックアップユニットを示す平面図。
【図６】スライド板と周辺部品との関係を示す側面図。
【図７】駆動力伝達手段を示す平面図。
【図８】規制部材を示す平面図
【図９】クランプ機構を示す平面図。
【図１０】クランプ動作を示す左側面図。
【図１１】搬送ローラ機構を示す斜視図。
【図１２】ディスク再生状態におけるスライド板とクランパとの関係を示す側面図。
【図１３】ディスク再生状態における駆動力伝達手段を示す平面図。
【図１４】スライド板と周辺部品との関係を示す側面図。
【図１５】フローティングシャーシ規制位置に位置した規制部材を示す平面図
【図１６】スライド板と周辺部品との関係を示す側面図。
【図１７】クランプ機構を示す平面図。
【図１８】アタッチメントケースとディスク再生装置との取付け関係を示す分解斜視図。
【図１９】上フレームと下フレームとの関係を示す取付け分解斜視図。
【図２０】上フレームを下フレームに取付ける過程を示す側面図。
【図２１】前方抜止め片の屈曲状態を示す平面図。
【図２２】抜止め小片の屈曲状態を示す説明図。
【図２３】上フレームと下フレームとの関係を一部拡大して示す斜視図。
【符号の説明】
【００８１】
１５              固定シャーシ
６０              フローティングシャーシ
７４              第一モータ
８４              スライド板
８５              フローティングシャーシ規制手段（規制部材）
９３              ローラ位置切換部（カム面）
９５              突起部
１１５            連結ギヤ（第七ギヤ）
１２６            当接部
１２７            摺接部
１３０            腕部
１５０            搬送ローラ
１５１            ローラブラケット
１５４            ローラギヤ
Ｆ                フローティングシャーシ固定手段
【図５】
2010113790.tif 000003
【図６】
2010113790.tif 000004
【図１５】
2010113790.tif 000005
【図１】
2010113790.tif 000006
【図２】
2010113790.tif 000007
【図３】
2010113790.tif 000008
【図４】
2010113790.tif 000009
【図７】
2010113790.tif 000010
【図８】
2010113790.tif 000011
【図９】
2010113790.tif 000012
【図１０】
2010113790.tif 000013
【図１１】
2010113790.tif 000014
【図１２】
2010113790.tif 000015
【図１３】
2010113790.tif 000016
【図１４】
2010113790.tif 000017
【図１６】
2010113790.tif 000018
【図１７】
2010113790.tif 000019
【図１８】
2010113790.tif 000020
【図１９】
2010113790.tif 000021
【図２０】
2010113790.tif 000022
【図２１】
2010113790.tif 000023
【図２２】
2010113790.tif 000024
【図２３】
2010113790.tif 000025